(57)【要約】【課題】可搬性記録媒体からデータを読み取り印刷を実行する機能を備える印刷装置において、可搬性記録媒体の接続異常を早期に警告可能にする。【解決手段】複合機システムは、スキャナ部とプリンタ部とを備えており、スキャナ部は、スキャナエンジンと、可搬性記録媒体のデータの読込み及び書込みの少なくともいずれかを行う読書装置とを備える。スキャナ部とプリンタ部とは、読書装置制御用ケーブルを介して接続されている。プリンタ部は、プリンタエンジンと、読書装置制御用ケーブルを介して読書装置を制御する読書装置制御回路と、を備えている。複合機システムは、さらに、設定項目を受け付ける受付手段と、受け付けた設定項目が可搬性記録媒体に関する項目か否かを判定する判定手段と、可搬性記録媒体に関する項目であると判定した場合に、可搬性記録媒体の状態を確認する状態確認手段と、状態確認手段により可搬性記録媒体の状態に不具合があると判定された場合に、警告を出力する警告手段と、を備える。【選択図】  図２
2009111553.tif 000002
【特許請求の範囲】
【請求項１】
スキャナ部とプリンタ部とを備えた複合機システムであって、
前記スキャナ部は、
スキャナエンジンと、
可搬性記録媒体のデータの読込み及び書込みの少なくともいずれかを行う読書装置とを備え、
前記スキャナ部と前記プリンタ部とは、読書装置制御用ケーブルを介して接続され、
前記プリンタ部は、
プリンタエンジンと、
前記読書装置制御用ケーブルを介して前記読書装置を制御する読書装置制御回路と、を備え、さらに、
設定項目を受け付ける受付手段と、
受け付けた設定項目が前記可搬性記録媒体に関する項目か否かを判定する判定手段と、
前記可搬性記録媒体に関する項目であると判定した場合に、前記可搬性記録媒体の状態を確認する状態確認手段と、
前記状態確認手段により前記可搬性記録媒体の状態に不具合があると判定された場合に、警告を出力する警告手段と、
を備えることを特徴とする複合機システム。
【請求項２】
請求項１に記載の複合機システムであって、
前記判定手段は、
前記受付手段が前記設定項目を受け付けるたびに、前記可搬性記録媒体に関する項目か否かを判定する
ことを特徴とする複合機システム。
【請求項３】
請求項１または２に記載の複合機システムであって、
前記状態確認手段は、
前記設定項目の設定が終了する前に、前記可搬性記録媒体の状態を確認する
ことを特徴とする複合機システム。
【請求項４】
請求項１〜３のいずれか一項に記載の複合機システムであって、
前記スキャンエンジンにより読み取った画像データを前記可搬性記憶媒体に記憶させる処理と、
印刷データを前記可搬性記憶媒体に記憶させる処理と、
前記印刷データを前記可搬性記憶媒体から読み込み印刷を実行する処理と、の少なくともいずれかを行う
ことを特徴とする複合機システム。
【発明の詳細な説明】
【技術分野】
【０００１】
本発明は、可搬性記録媒体からデータを読み取り印刷を実行する機能を備える複合機システムに関する。
【背景技術】
【０００２】
ＵＳＢメモリなどの可搬性の記録媒体からデータを読み取り印を実行する印刷装置（複合機システム）がある。このような印刷装置では、全ての設定項目の設定を終了した後、印刷開始命令を受け付けてから、可搬性記録媒体の状態（ステート）を確認する。そして、状態に異常が検出されると、その時点で始めて、警告を出力する。
【０００３】
【特許文献１】特開２００７−１１０３１６号公報
【発明の開示】
【発明が解決しようとする課題】
【０００４】
従来の印刷装置では、ユーザは、設定項目の設定を終了し、印刷開始命令を入力した後でなければ、ＵＳＢメモリの接続状態に異常があることを知らされない。従って、ユーザは、警告されてから始めてＵＳＢメモリの装着状態やケーブルの着脱を確認することになり、その後、再度、設定を行い、印刷開始命令を入力しなければならず、無駄な操作を繰り返すことになる。
【０００５】
本発明の目的は、可搬性記録媒体からデータを読み取り印刷を実行する機能を備える複合機システムにおいて、可搬性記録媒体の状態の異常を早期に警告可能にすることにある。
【課題を解決するための手段】
【０００６】
上記の目的を達成するため、本発明の複合機システムは、スキャナ部とプリンタ部とを備えており、前記スキャナ部は、スキャナエンジンと、可搬性記録媒体のデータの読込み及び書込みの少なくともいずれかを行う読書装置とを備える。前記スキャナ部と前記プリンタ部とは、読書装置制御用ケーブルを介して接続されている。前記プリンタ部は、プリンタエンジンと、前記読書装置制御用ケーブルを介して前記読書装置を制御する読書装置制御回路と、を備えている。複合機システムは、さらに、設定項目を受け付ける受付手段と、受け付けた設定項目が前記可搬性記録媒体に関する項目か否かを判定する判定手段と、前記可搬性記録媒体に関する項目であると判定した場合に、前記可搬性記録媒体の状態を確認する状態確認手段と、前記状態確認手段により前記可搬性記録媒体の状態に不具合があると判定された場合に、警告を出力する警告手段と、を備える。
【発明を実施するための最良の形態】
【０００７】
本発明の一実施形態について図面を参照して説明する。
【０００８】
図１は、本実施形態を適用した印刷装置（複合機システム）１００の概略構成を示す図である。
【０００９】
印刷装置１００は、スキャナ機能を備える、いわゆる複合機であり、スキャナ部１１０と、プリンタ部１２０とを備える。なお、ファクシミリ機能を備えていてもよい。
【００１０】
スキャナ部１１０とプリンタ部１２０とは、それぞれ別個の筐体で構成され、スキャナ部１１０は、プリンタ部１２０の上方に配置されている。
【００１１】
スキャナ部１１０は、光源、レンズ、走査用モータ、ＣＣＤイメージセンサなどから構成されスキャナエンジン１１１と、スキャナエンジン１１１を駆動するスキャナエンジン駆動回路１１２と、ユーザへのメッセージを表示するとともにユーザからの入力指示を受け付ける操作パネル１４０と、ＵＳＢメモリ１４５を装着するためのＵＳＢ基板１４２とを備えている。
【００１２】
操作パネル１４０は、ＬＣＤ（液晶表示装置）などの表示装置と、ハードスイッチやタッチパネルなどの入力装置を備える。
【００１３】
ＵＳＢ基板１４２は、ＵＳＢホスト制御用ケーブル１５２と接続するためのコネクタ１６２を備える。
【００１４】
プリンタ部１２０は、印字機構及び給排紙機構からなるプリンタエンジン１２３と、プリンタエンジン１２３を駆動するプリンタエンジン駆動回路１２４とを備える。さらに、プリンタ部１２０は、コントローラ１２１と、予備表示パネル１２２と、電源ユニット１２５とを備えている。
【００１５】
コントローラ１２１は、ＣＰＵ、メモリ、インターフェースからなるコンピュータで構成され、その機能部として、予備表示パネル１２２を制御する予備表示パネル制御回路１３１と、スキャナエンジン駆動回路１１２を制御するスキャナ制御回路１３２と、操作パネル１４０を制御する操作パネル制御回路１３３と、スキャナ部１１０に電源を供給するスキャナ用電源供給回路１３４と、プリンタエンジン駆動回路１２４を制御するプリンタ制御回路１３５と、ＵＳＢ基板１４２を制御するＵＳＢホスト制御回路１３６とを備える。
【００１６】
すなわち、プリンタ部１２０は、プリンタ機能に関する制御回路のほかに、スキャナ機能に関する制御回路と、印刷装置１００全体に関する制御回路とを格納している。
【００１７】
予備表示パネル１２２は、プリンタ部１２０とスキャナ部１１０との接続の不具合により、操作パネル１４０に印刷装置１００の状態を表示できない場合であっても、ユーザに印刷装置１００の状態を知らせるために設けられている。したがって、最低限の警告表示が行えればよく、操作パネル１４０ほどの高度な表示装置を備える必要はない。
【００１８】
警告が必要な状態項目としては、電源状態、コントローラの異常、ケーブルの接続不良、プリンタ機能の異常、スキャナ機能の異常などがある。
【００１９】
コントローラ１２１は、スキャナ制御用ケーブル１５１のプリンタ部１２０側のコネクタ１６５に接続するためのコネクタ１６６を備えている。また、ＵＳＢホスト制御用ケーブル１５２のプリンタ部１２０側のコネクタ１６７に接続するためのコネクタ１６８を備えている。
【００２０】
スキャナ部１１０と、プリンタ部１２０とは、対応するコネクタ１６１〜１６８が接続されることにより、スキャナ制御用ケーブル１５１、及びＵＳＢホスト制御用ケーブル１５２を介して接続される。
【００２１】
ＵＳＢホスト制御回路１３６は、スキャナエンジン１１１により原稿から読み取った画像データをＵＳＢメモリ１４５に記憶させる処理や、印刷データをＵＳＢメモリ１４５に記憶させる処理、ＵＳＢメモリ１４５から印刷データを読み込む処理を行う。
【００２２】
プリンタ制御回路１３５は、ＵＳＢ制御回路１３６がＵＳＢメモリ１４５から読み取った印刷データを用いて、プリンタエンジン１２３で印刷を実行する処理を行う。
【００２３】
すなわち、ＵＳＢメモリ１４５には、印刷に用いるデータ（印刷データ）の他、スキャンしたデータも保存される。
【００２４】
なお、各制御回路は、ハードウエア的に実現されていてもよいし、ソフトウエア的に実現されていてもよい。
【００２５】
上記のように構成される印刷装置１００の特徴的な動作について説明する。
【００２６】
図２は、印刷装置１００の特徴的な動作を示すフロー図である。
【００２７】
操作パネル制御回路１３３は、操作パネル１４０を介して、設定項目の入力を受け付けると（Ｓ００１）、ＵＳＢメモリ１４５に関する項目か否か判定する（Ｓ００２）。
【００２８】
例えば、操作パネル制御回路１３３は、受け付けた設定項目が、ＵＳＢメモリ１４５のデータの閲覧要求、データの編集要求、削除要求等である場合、ＵＳＢメモリ１４５に関する項目であると判定する。また、操作パネル制御回路１３３は、ＵＳＢメモリ１４５に格納されたデータが印刷対象として設定された場合も、ＵＳＢメモリ１４５に関する設定項目であると判定する。
【００２９】
そして、ＵＳＢメモリ１４５に関する設定項目であった場合（Ｓ００２でＹ）、操作パネル制御回路１３３は、ＵＳＢホスト制御回路１３６に対して、ＵＳＢメモリ１４５の状態の確認を指示する。
【００３０】
これを受けて、ＵＳＢホスト制御回路１３６は、ＵＳＢメモリ１４５の状態を確認する（Ｓ００５）。具体的には、ＵＳＢホスト制御用ケーブル１５２を介して、ＵＳＢ基板１４２との接続確認を行い、さらに、ＵＳＢ基板１４２を介して、ＵＳＢメモリ１４５の装着確認を行う。ＵＳＢ基板１４２との接続状態が正常で、かつ、ＵＳＢメモリ１４５がＵＳＢ基板１４５に装着状態にあると確認された場合、ＵＳＢホスト制御回路１３６は、ＵＳＢメモリ１４５の状態に不具合はないと判定する。一方、ＵＳＢ基板１４２との接続状態に不具合があった場合、又は、接続が正常でもＵＳＢメモリ１４５がＵＳＢ基板１４５に非装着状態にあると確認された場合、ＵＳＢホスト制御回路１３６は、ＵＳＢメモリ１４５の状態に不具合があると判定する。そして、その判定結果を、操作パネル制御回路１３６に送る。
【００３１】
ＵＳＢメモリ１４５の接続状態に不具合があった場合（Ｓ００６でＹ）、操作パネル制御回路１３３は、「ＵＳＢメモリの状態に不具合があります。」などと、操作パネル１４０の表示装置に警告メッセージを表示する（Ｓ００７）。なお、ＵＳＢホスト制御用ケーブル１５２に不具合が検出された場合は、その旨の警告メッセージを表示することができる。また、ＵＳＢメモリ１４５がＵＳＢ基板１４２に対して非装着であることが検出された場合は、その旨の警告メッセージを表示することができる。また、予備表示パネル制御回路１３１に指示して、予備表示パネル１２２に警告を表示してもよい。
【００３２】
一方、Ｓ００２においてＵＳＢメモリに関する項目でないと判定された場合（Ｓ００２でＮ）、又は、Ｓ００６においてＵＳＢメモリ１４５の接続状態に不具合がないと判定した場合（Ｓ００６でＮ）、操作パネル制御回路１３３は、設定項目の設定が終了したか否かを判定する（Ｓ００３）。具体的には、操作パネル制御回路１３３は、操作パネル１４０を介してユーザから設定終了の指示を受け付けた場合や、印刷開始要求を受け付けた場合に、全ての設定項目の設定が終了したと判定する。
【００３３】
設定項目の設定が終了していない場合（Ｓ００３でＮ）、操作パネル制御回路１３３は、Ｓ００１に戻って処理を続行する。一方、全て終了した場合（Ｓ００３でＹ）、設定された設定項目に応じて、通常の所定の動作を行う（Ｓ００４）。すなわち、プリンタ制御回路１４５に対して、印刷開始のための処理を指示し、印刷を実行させる。
【００３４】
以上、図２のフロー図について説明した。
【００３５】
なお、一旦、Ｓ００６で不具合なしと判定された場合、操作パネル制御回路１３３は、以降、操作パネル１４０から設定項目を受け付けた場合（Ｓ００１）、ＵＳＢメモリ１４５に関する項目か否かを判定する処理Ｓ００２を行うことなく、Ｓ００３に移行することができる。
【００３６】
上記実施形態によれば、可搬性記録媒体に関する設定項目が設定されると直ちに、可搬性記録媒体の状態を確認し、不具合がある場合は、警告する。したがって、従来のように、設定項目の設定を終了し、印刷開始要求をしてから、始めて異常が警告されるということがなく、ユーザは、早期に異常を知ることができる。これにより、ユーザは、無駄な操作をしなくて済む。
【００３７】
＜変形例＞
本願発明は、上記実施形態に制限されず、さまざまな変形が可能である。例えば、図３に示すように、ＵＳＢホスト制御用ケーブル１５２の接続不良を検出するために、ＵＳＢホスト制御用ケーブル１５２に、接続確認用の信号線３２０を設け、これを利用して、接続確認を行ってもよい。すなわち、ＵＳＢホストコネクタは、通常、Ｄ＋、Ｄ−、ＶＢＵＳ、ＧＮＤの４本で構成されているが、この４本に加えて、接続確認用の信号（ＩＰ信号）を用意し、ＩＰ信号の状態を確認することで、接続状態を確認する。
【００３８】
コントローラ１２１は、ＵＳＢホストとして機能する制御ＩＣ３２３を備える。制御ＩＣ３２３は、ＵＳＢホスト制御用ケーブル１５２にコネクタ１６８、１６７を介して接続する。接続確認用の信号線３２０は、ＵＳＢ基板１４２側で接地されるようになっている。
【００３９】
制御ＩＣ３２３は、信号線３２０に接続している接続状態検出素子（例えば、プルアップ抵抗）により、制御ＩＣ３２３とＵＳＢ基板１４２との間について、接続状態か断線状態かを検出する。接続状態検出素子３２５の検出結果は、接続状態を格納するためのレジスタ（不図示）に格納され、制御ＩＣ３２３は、かかるレジスタを読み込むことで接続状態を確認する。
【００４０】
図４は、かかる構成における動作（警告表示処理）のフローチャートである。
【００４１】
電源が投入されると（Ｓ１０１）、コントローラ１２１は、接続状態確認用の信号線３２０を用いて、ＵＳＢホスト制御用ケーブル１５２の接続確認を行う（Ｓ１０２）。
【００４２】
正常な接続状態の場合（Ｓ１０２でＹ）、所定の通常の動作に移行する（Ｓ１０３）。一方、断線状態の場合（Ｓ１０２でＮ）で、かつ、操作パネル１４０と正常な接続状態である場合（Ｓ１０４でＹ）、操作パネル制御回路１３３は、操作パネル１４０に、ＵＳＢホスト制御用ケーブル１５２が正常に装着されていない旨のメッセージを表示させ（Ｓ１０５）、処理を終了する。
【００４３】
一方、断線状態の場合（Ｓ１０２でＮ）で、かつ、操作パネル１４０と正常な接続状態が確立されていない場合（Ｓ１０４でＮ）、予備表示パネル制御回路１３１は、「ケーブル類の接続状態を示すＬＥＤ）を、点灯させないで（Ｓ１０６）、処理を終了する。これにより、ユーザに対して警告する。
【００４４】
なお、予備表示パネル１２２は、例えば、小型のＬＣＤを備えるなど、ＵＳＢホスト制御用ケーブル１５２の接続状態を表示できるようにしてもよい。かかる場合、予備表示パネル制御回路１３１は、予備表示パネル１２２に、ＵＳＢホスト制御用ケーブル１５２が正常に装着されていない旨のメッセージを表示する。
【図面の簡単な説明】
【００４５】
【図１】印刷装置の構成を示すブロック図。
【図２】警告表示処理のフローを示す図。
【図３】ＵＳＢホスト制御用ケーブル周辺の構成図。
【図４】警告表示処理のフロー図。
【符号の説明】
【００４６】
１００…印刷装置、
１１０…スキャナ部、１１１…スキャナエンジン、１１２…スキャナエンジン駆動部、
１２０…プリンタ部、１２１…コントローラ、１２２…予備表示パネル、１２３…プリンタエンジン、１２４…プリンタエンジン駆動回路、１２５…電源ユニット、
１３１…予備表示パネル制御回路、１３２…スキャナ制御回路、１３３…操作パネル制御回路、１３４…スキャナ用電源供給回路、１３５…プリンタ制御回路、１３６…ＵＳＢホスト制御回路、
１４０…操作パネル、１４２…ＵＳＢ基板、１４５…ＵＳＢメモリ、
１５１…スキャナ制御用ケーブル、１５２…ＵＳＢホスト制御用ケーブル、
１６１〜１６８…コネクタ
【図１】
2009111553.tif 000003
【図２】
2009111553.tif 000004
【図３】
2009111553.tif 000005
【図４】
2009111553.tif 000006